【手続補正書】
【提出日】平成19年11月5日(2007.11.5)
【手続補正１】
【補正対象書類名】特許請求の範囲
【補正対象項目名】全文
【補正方法】変更
【補正の内容】
【特許請求の範囲】
【請求項１】
内部に放電空間を有するガラスバルブの両端部の外周に電極を備える蛍光ランプであって、
前記ガラスバルブは、ソーダガラスから構成され、当該ガラスバルブの内面に１つ以上の領域を残して蛍光体層が形成されている
ことを特徴とする蛍光ランプ。
【請求項２】
内部に放電空間を有するガラスバルブの両端部の外周に電極を備える蛍光ランプであって、
前記ガラスバルブは、Ｎａの含有率が５ｗｔ％以上２０ｗｔ％以下のガラスから構成され、当該ガラスバルブの内面に１つ以上の領域を残して蛍光体層が形成されている
ことを特徴とする蛍光ランプ。
【請求項３】
内部に放電空間を有するガラスバルブの両端部の外周に電極を備える蛍光ランプであって、
前記ガラスバルブは、ソーダガラスから構成され、当該ガラスバルブの内面に、保護層および蛍光体層が形成されていない１つ以上の領域を残して保護層と蛍光体層とが内面側からこの順で形成されている
ことを特徴とする蛍光ランプ。
【請求項４】
内部に放電空間を有するガラスバルブの両端部の外周に電極を備える蛍光ランプであって、
前記ガラスバルブは、Ｎａの含有率が５ｗｔ％以上２０ｗｔ％以下のガラスから構成され、当該ガラスバルブの内面に、保護層および蛍光体層が形成されていない１つ以上の領域を残して保護層と蛍光体層とが内面側からこの順で形成されている
ことを特徴とする蛍光ランプ。
【請求項５】
前記保護層は、セシウム化合物を含む
ことを特徴とする請求項３又は４に記載の蛍光ランプ。
【請求項６】
前記蛍光体層は両電極の内方端間にわたって形成され、前記保護層は両電極の外方端間にわたって形成されている
ことを特徴とする請求項３〜５のいずれか１項に記載の蛍光ランプ。
【請求項７】
前記領域に、ガラスから析出したアルカリ系金属が存在している
ことを特徴とする請求項１〜６のいずれか１項に記載の蛍光ランプ。
【請求項８】
前記蛍光体層を構成する蛍光体粒子のうち少なくとも１種類の蛍光体粒子が金属酸化物により被覆されている
ことを特徴とする請求項１〜７のいずれか１項に記載の蛍光ランプ。
【請求項９】
前記ガラスバルブは、その横断面形状が扁平形状であり、短軸方向の内径が１．６ｍｍ以上４．０ｍｍ以下である
ことを特徴とする請求項１〜８のいずれか１項に記載の蛍光ランプ。
【請求項１０】
請求項１〜９のいずれか１項に記載の蛍光ランプを光源として備えることを特徴とするバックライトユニット。
【手続補正２】
【補正対象書類名】明細書
【補正対象項目名】０００５
【補正方法】変更
【補正の内容】
【０００５】
上記目的を達成するために、本発明に係る蛍光ランプは、内部に放電空間を有するガラスバルブの両端部に電極を備える蛍光ランプであって、前記ガラスバルブは、ソーダガラスから構成され、当該ガラスバルブの内面に１つ以上の領域を残して蛍光体層が形成されていることを特徴としている。
上記目的を達成するために、本発明に係る蛍光ランプは、内部に放電空間を有するガラスバルブの両端部に電極を備える蛍光ランプであって、前記ガラスバルブは、Ｎａの含有率が５ｗｔ％以上２０ｗｔ％以下のガラスから構成され、当該ガラスバルブの内面に１つ以上の領域を残して蛍光体層が形成されていることを特徴としている。
【手続補正３】
【補正対象書類名】明細書
【補正対象項目名】０００６
【補正方法】変更
【補正の内容】
【０００６】
上記目的を達成するために、本発明に係る蛍光ランプは、内部に放電空間を有するガラスバルブの両端部の外周に電極を備える蛍光ランプであって、前記ガラスバルブは、ソーダガラスから構成され、当該ガラスバルブの内面に１つ以上の領域を残して保護層と蛍光体層とが内面側からこの順で形成されていることを特徴としている。
上記目的を達成するために、本発明に係る蛍光ランプは、内部に放電空間を有するガラスバルブの両端部の外周に電極を備える蛍光ランプであって、前記ガラスバルブは、Ｎａの含有率が５ｗｔ％以上２０ｗｔ％以下のガラスから構成され、当該ガラスバルブの内面に１つ以上の領域を残して保護層と蛍光体層とが内面側からこの順で形成されていることを特徴としている。
【手続補正４】
【補正対象書類名】明細書
【補正対象項目名】０００７
【補正方法】変更
【補正の内容】
【０００７】
本発明に係る上記の各「蛍光ランプ」は、電極がガラスバルブの外周にある外部電極型蛍光ランプを少なくとも含む概念である。
前記領域は、ガラスバルブの内面にあればよく、その領域の形状、大きさ、数等特に限定するものでないが、暗黒始動特性を改善の観点から前記領域が電極に近い位置にある方が良い。
【手続補正５】
【補正対象書類名】明細書
【補正対象項目名】００１２
【補正方法】変更
【補正の内容】
【００１２】
また、本発明に係る蛍光ランプによれば、ガラスバルブはＮａの含有率が５ｗｔ％以上２０ｗｔ％以下のガラスにより構成されるので、放電空間内で保護層が形成されていない領域に、例えば、蛍光体層の焼成時にアルカリ系金属が析出しやすくなる。この領域に析出したアルカリ系金属は放電空間に露呈することになり、暗黒始動特性を改善することができる。
また、上記アルカリ系金属は、例えば、加熱によってソーダガラス中から析出するので、例えば、蛍光体層の焼成時やガラスバルブ端部の封止時の熱を利用すれば、アルカリ系金属を析出させるための特別な加熱工程を設ける必要はない。
【手続補正６】
【補正対象書類名】明細書
【補正対象項目名】００１９
【補正方法】変更
【補正の内容】
【００１９】
図２の（ａ）に示すように、ランプ２０は、直管円筒状のガラス管の両端が封止されてなるガラスバルブ２１と、このガラスバルブ２１の両端外周に設けられた電極３１、３２とを備える。
ガラスバルブ２１は、例えば、Ｎａの含有率が約１６（ｗｔ％）のソーダガラスからなり、軸心に垂直な平面で切断したときの断面（横断面）は、図２（ｃ）に示すように、略楕円形状をしている。なお、ランプ２０は、その横断面形状である楕円の長軸の延伸方向が前面パネル１６の主面と平行になる状態で、筐体１０の内部に格納されている。
【手続補正７】
【補正対象書類名】明細書
【補正対象項目名】００２７
【補正方法】変更
【補正の内容】
【００２７】
＜暗黒始動特性＞
上記構成のランプの暗黒始動特性について調査した。
まず、暗黒始動特性の測定に供したランプは、以下の２タイプである。
従来品
・断面形状：円
・寸法：外径４（ｍｍ）、内径３（ｍｍ）、全長３００（ｍｍ）
・材質：ホウケイ酸ガラス（Ｎａの含有率：１．４ｗｔ％）
・その他：エミッタ（電子放射物質）なし
発明品
・断面形状：楕円
・寸法：長軸の外径１０．３（ｍｍ）、内径９．１（ｍｍ）
短軸の外径４．０（ｍｍ）、内径２．８（ｍｍ）
全長３００（ｍｍ）
・材質：ソーダガラス（Ｎａの含有率：１６ｗｔ％）
・その他：析出物である酸化ナトリウムあり、エミッタなし
上記２種類のランプを用いて暗黒条件下で始動点灯させることにより暗黒始動特性を測定した。ランプを始動させるときの条件は、２４時間常温で暗黒放置後、０．１（Ｌｕｘ）下での暗黒状態で点灯させた。そして、ランプに電圧を印加し始めてから、ランプに電流が流れるまでの時間（暗黒始動時間）をオシロスコープにより測定した。
【手続補正８】
【補正対象書類名】明細書
【補正対象項目名】００３１
【補正方法】変更
【補正の内容】
【００３１】
＜変形例＞
１．Ｎａの含有率について
上記実施の形態では、ガラスバルブとして、Ｎａを約１６（ｗｔ％）含有したソーダガラスを使用したが、本発明のガラスバルブは、Ｎａを約１６（ｗｔ％）含有したものに限定されない。
【手続補正９】
【補正対象書類名】明細書
【補正対象項目名】００３２
【補正方法】変更
【補正の内容】
【００３２】
つまり、本発明は、ガラスバルブを構成するガラスに含まれているアルカリ系金属を析出させて、その析出した金属を利用して、暗黒始動特性を改善している。従って、暗黒始動特性改善できる程度に、アルカリ系金属を析出できれば良い。なお、ガラスの加工性を考慮すると、アルカリ系金属の含有率は、５（ｗｔ％）以上２０（ｗｔ％）以下の範囲内が好ましい。
【手続補正１０】
【補正対象書類名】明細書
【補正対象項目名】００３３
【補正方法】変更
【補正の内容】
【００３３】
これは、アルカリ系金属の含有率が５（ｗｔ％）未満になると、暗黒条件下での暗黒始動時間が１秒を越える確率が高くなり、逆に、アルカリ系金属の含有率が２０（ｗｔ％）を越えると、長時間の使用によりガラスバルブが白色化して輝度の低下を招いたり、ガラスバルブ自体の強度が低下したりするなどの不具合が発生するからである。
なお、環境対策を考慮した場合、アルカリ系金属の含有率が前記範囲内のソーダガラスであって、かつ、鉛の含有率が０．１（ｗｔ％）以下のガラスが好ましく（所謂、「鉛フリーガラス」である。）、さらには、鉛の含有率が０．０１（ｗｔ％）以下のガラスがより好ましい。
【手続補正１１】
【補正対象書類名】明細書
【補正対象項目名】００６１
【補正方法】削除
【補正の内容】
【手続補正１２】
【補正対象書類名】明細書
【補正対象項目名】００６２
【補正方法】削除
【補正の内容】
【手続補正１３】
【補正対象書類名】明細書
【補正対象項目名】００６３
【補正方法】削除
【補正の内容】
【手続補正１４】
【補正対象書類名】図面
【補正対象項目名】図７
【補正方法】削除
【補正の内容】